(57)【特許請求の範囲】
【請求項１】
発光素子を有する主光源と、
前記発光素子に定電流を供給する第１定電流制御部と、
前記第１定電流制御部の状態に基づいて前記主光源の異常を検出する主光源異常検出部と、
前記主光源異常検出部が前記主光源の異常を検出したときに出力する主光源異常検出信号に基づいて前記主光源を消灯し、その後、前記主光源を再起動する電力が供給されたとき、前記主光源を一定時間点灯する制御を行う主制御部とを備えること
を特徴とする発光素子照明灯装置。
【請求項２】
請求項１に記載の発光素子照明灯装置であって、
前記主光源とは別の副発光素子を有する副光源を備え、
前記副光源は、前記主光源が前記主光源異常検出信号に基づいて消灯されたとき点灯される構成とされていること
を特徴とする発光素子照明灯装置。
【請求項３】
請求項１または請求項２に記載の発光素子照明灯装置であって、
前記主光源は、少なくとも１個の前記発光素子を有して相互に並列接続された複数の発光素子直列部を備え、
前記第１定電流制御部は、複数の前記発光素子直列部のそれぞれに接続された複数の定電流回路を備え、
前記主光源異常検出部は、複数の前記定電流回路の状態を示す状態信号を基準信号と比較して前記発光素子直列部の異常を検出する構成とされていること
を特徴とする発光素子照明灯装置。
【請求項４】
請求項３に記載の発光素子照明灯装置であって、
前記主光源異常検出部は、前記発光素子直列部の開放状態を検出する第１コンパレータと、前記発光素子直列部の短絡状態を検出する第２コンパレータとを備えること
を特徴とする発光素子照明灯装置。
【請求項５】
請求項２に記載の発光素子照明灯装置であって、
前記主光源は、交流電源に接続された第１電源部が有する第１整流部から電力が供給され、
前記副光源は、前記第１電源部とは別に設けられて前記交流電源に接続された第２電源部が有する第２整流部から電力が供給され、
前記主制御部は、前記第２整流部から電力が供給される構成とされていること
を特徴とする発光素子照明灯装置。
【請求項６】
請求項２または５に記載の発光素子照明灯装置であって、
前記発光素子および前記副発光素子は、発光ダイオードであること
を特徴とする発光素子照明灯装置。
【請求項７】
請求項６に記載の発光素子照明灯装置であって、
前記発光素子の発光波長と、前記副発光素子の発光波長とは、互いに異なること
を特徴とする発光素子照明灯装置。
【発明の詳細な説明】
【技術分野】
【０００１】
本発明は、発光素子を有する主光源を備える発光素子照明灯装置に関する。
【背景技術】
【０００２】
発光素子（例えば半導体発光ダイオード）の技術開発に伴い、電球あるいは蛍光灯に替えて発光素子を適用した照明装置が提案されている。しかし、発光素子であっても異常が全く生じないというわけでは無く、また、多数の発光素子が搭載されることから、異常の発生に対する対策が必要である。
【０００３】
従来技術として、異常電流（予め設定している所定レベル以上の電流）を検出したとき、異常電流が流れた列の白色ＬＥＤの電流を遮断するなどの工夫をした照明用白色ＬＥＤ駆動回路が提案されている。（例えば、特許文献１参照。）
しかしながら、ＬＥＤを多数配置するＬＥＤ照明灯では、ＬＥＤの搭載数が多くなるにしたがって、確率的に断線あるいは開放などの異常が生じる割合が増える虞がある。また、単にＬＥＤに対する電流を遮断するだけでなく、異常状態であることを表示する（使用者ならびに保守作業者に認識させる）必要がある。
【先行技術文献】
【特許文献】
【０００４】
【特許文献１】特開２００９−２５２３４４号公報
【発明の概要】
【発明が解決しようとする課題】
【０００５】
本発明はこのような状況に鑑みてなされたものであり、主光源の異常を検出したとき、主光源を消灯させて主光源および周辺回路への影響を防止して安全性、信頼性を向上させ、また、使用者が異常状態を容易に認識でき、更に、保守作業者が異常個所を的確に特定して迅速な保守作業を容易に実行することができる利便性の高い発光素子照明灯装置を提供することを目的とする。
【課題を解決するための手段】
【０００６】
本発明に係る発光素子照明灯装置は、
発光素子を有する主光源と、前記発光素子に定電流を供給する第１定電流制御部と、前記第１定電流制御部の状態に基づいて前記主光源の異常を検出する主光源異常検出部と、前記主光源異常検出部が前記主光源の異常を検出したときに出力する主光源異常検出信号に基づいて前記主光源を消灯し、その後、前記主光源を再起動する電力が供給されたとき、前記主光源を一定時間点灯する制御を行う主制御部とを備えることを特徴とする。
【０００７】
したがって、本発明に係る発光素子照明灯装置は、主光源に異常が生じたとき、主光源を消灯させることによって主光源および周辺回路への影響を防止して安全性、信頼性を向上させ、主光源に対する再起動の電力が供給されたとき、一定時間に限って主光源を点灯することから、使用者が異常状態を容易に認識でき、また、保守作業者が異常個所を的確に特定して迅速な保守作業を容易に実行できるので、高い利便性を実現できる。
【０００８】
また、本発明に係る発光素子照明灯装置では、前記主光源とは別の副発光素子を有する副光源を備え、前記副光源は、前記主光源が前記主光源異常検出信号に基づいて消灯されたとき点灯される構成とされていることを特徴とする。
【０００９】
したがって、本発明に係る発光素子照明灯装置は、主光源の消灯に併せて副光源が点灯されることから、異常状態を表示することが可能となり、また、主光源の消灯に伴って周囲が暗い状態となった場合でも副光源の点灯によって必要な明るさを確保して安全性を確保することができる。
【００１０】
また、本発明に係る発光素子照明灯装置では、前記主光源は、少なくとも１個の前記発光素子を有して相互に並列接続された複数の発光素子直列部を備え、前記第１定電流制御部は、複数の前記発光素子直列部のそれぞれに接続された複数の定電流回路を備え、前記主光源異常検出部は、複数の前記定電流回路の状態を示す状態信号を基準信号と比較して前記発光素子直列部の異常を検出する構成とされていることを特徴とする。
【００１１】
したがって、本発明に係る発光素子照明灯装置は、複数の発光素子直列部のそれぞれに接続された複数の定電流回路の状態信号を基準信号と比較して発光素子直列部の異常を検出する主光源異常検出部を備えることから、いずれかの発光素子直列部での異常を検出することができるので主光源の異常を高精度に検出することが可能となる。
【００１２】
また、本発明に係る発光素子照明灯装置では、前記主光源異常検出部は、前記発光素子直列部の開放状態を検出する第１コンパレータと、前記発光素子直列部の短絡状態を検出する第２コンパレータとを備えることを特徴とする。
【００１３】
したがって、本発明に係る発光素子照明灯装置は、発光素子直列部の開放状態を検出する第１コンパレータと発光素子直列部の短絡状態を検出する第２コンパレータとを備えることから、主光源の異常として発光素子直列部の開放状態および短絡状態を併せて検出することができるので、安全性および信頼性を更に向上させることができる。
【００１４】
また、本発明に係る発光素子照明灯装置では、前記主光源は、交流電源に接続された第１電源部が有する第１整流部から電力が供給され、前記副光源は、前記第１電源部とは別に設けられて前記交流電源に接続された第２電源部が有する第２整流部から電力が供給され、前記主制御部は、前記第２整流部から電力が供給される構成とされていることを特徴とする。
【００１５】
したがって、本発明に係る発光素子照明灯装置は、主光源の異常に対して主光源の消灯および副光源の点灯を制御する主制御部の電源と副光源を点灯する副光源の電源とを、主光源の電源である第１電源部（第１整流部）とは異なる第２電源部（第２整流部）としていることから、主制御部の動作の信頼性、安全性、副光源の点灯の信頼性を向上させることができる。
【００１６】
また、本発明に係る発光素子照明灯装置では、前記発光素子および前記副発光素子は、発光ダイオードであることを特徴とする。
【００１７】
したがって、本発明に係る発光素子照明灯装置は、発光素子および副発光素子を発光ダイオードで形成することから、長寿命で信頼性が高く、低消費電力が可能な照明灯装置となる。
【００１８】
また、本発明に係る発光素子照明灯装置では、前記発光素子の発光波長と、前記副発光素子の発光波長とは、互いに異なることを特徴とする。
【００１９】
したがって、本発明に係る発光素子照明灯装置は、主光源の発光色と副光源の発光色とを異ならせることから、主光源の異常を容易にかつ正確に表示することができる。
【発明の効果】
【００２０】
本発明に係る発光素子照明灯装置は、主光源異常検出部が主光源の異常を検出したときに出力する主光源異常検出信号に基づいて主光源を消灯し、その後の主光源に対する再起動がされたときに一定時間に限って点灯する制御を行う主制御部を備える。
【００２１】
したがって、本発明に係る発光素子照明灯装置は、主光源に異常が生じたとき、主光源を消灯させることによって主光源および周辺回路への影響を防止して安全性、信頼性を向上させ、主光源に対する再起動の電力が供給されたとき、一定時間に限って主光源を点灯することから、使用者が異常状態を容易に認識でき、また、保守作業者が異常個所を的確に特定して迅速な保守作業を実行できるので、高い利便性を実現できるという効果を奏する。
【図面の簡単な説明】
【００２２】
【図１】本発明の実施の形態に係る発光素子照明灯装置が備える各ブロックの相関を示すブロック図である。
【図２】図１に示した発光素子照明灯装置が備える主制御部での機能ブロックの概略を示す概略機能ブロック図である。
【図３Ａ】図１に示した発光素子照明灯装置で実行される制御フローの内、主光源に対するオン／オフ制御の概略フローを示すフローチャートである。
【図３Ｂ】図１に示した発光素子照明灯装置１で実行される制御フローの内、主光源の異常を検出したときの概要フローを示すフローチャートである。
【図４】図１に示した発光素子照明灯装置が備える第１定電流制御部および主光源異常検出部の回路の概要を示す回路図である。
【発明を実施するための形態】
【００２３】
以下、本発明の実施の形態について図面を参照して説明する。
【００２４】
図１ないし図４を参照して、本実施の形態に係る発光素子照明灯装置１について説明する。
【００２５】
図１は、本発明の実施の形態に係る発光素子照明灯装置１が備える各ブロックの相関を示すブロック図である。
【００２６】
本実施の形態に係る発光素子照明灯装置１は、例えば商用電源として配電された交流電源２（ＡＣ電源）に接続された第１電源部１０と、第１電源部１０から電力の供給を受けて点灯される主光源部２０と、第１電源部１０とは別に交流電源２に接続されて待機電源を構成する第２電源部３０と、第２電源部３０から電力の供給を受けて点灯される副光源部４０と、発光素子照明灯装置１に対する全体の制御を実行する主制御部５０とを備える。なお、発光素子照明灯装置１のオン／オフ（主光源２１の点灯／消灯）は、外部に配置された可搬型のリモコン端末器５２からの指示を受信した主制御部５０によって制御される。
【００２７】
第１電源部１０は、交流電源２から供給された交流電力の力率を改善する力率改善回路１１（ＰＦＣ）と、力率改善回路１１からの交流電力に対してスイッチングを施して電力の調整を行う第１電源制御部１２（例えばＡＣ／ＡＣコンバータ：スイッチング電源回路）と、第１電源制御部１２から供給された交流に対して電圧変換（第１電源制御部１２の高い電圧を第１整流部１４に適した低い電圧に変換する。）を施す第１変圧部１３と、第１変圧部１３から供給された交流を直流に変換して主光源部２０へ直流電力を供給する第１整流部１４とを備える。
【００２８】
第１電源部１０は、更に、主光源部２０が有する第１定電流制御部２３からの定電流信号Ｓｃｃを第１電源制御部１２に送信して第１電源制御部１２のスイッチングを制御するホトカプラー１６（ＰＣ１）とを備える。定電流信号Ｓｃｃは、発光素子直列部２２へ供給される電流値が定電流となるように、第１定電流制御部２３から第１電源制御部１２へ出力される信号であり、第１電源制御部１２から出力される電圧を制御する。
【００２９】
ホトカプラー１６は、第１定電流制御部２３からの信号（定電流信号Ｓｃｃ）を第１電源制御部１２に伝達するとき光信号に変換して送信することから、第１定電流制御部２３と第１電源制御部１２との間の絶縁性を確保して信号伝達の信頼性を確保することができる。
【００３０】
主光源部２０は、発光素子ＬＥＤ（Ｌｉｇｈｔ  Ｅｍｉｔｔｉｎｇ  Ｄｉｏｄｅ：例えば、発光素子ＬＥＤ１〜発光素子ＬＥＤｎ。なお、以下では、発光素子ＬＥＤ１ないし発光素子ＬＥＤｎを特に区別する必要がない場合は、単に発光素子ＬＥＤとすることがある。）を有する主光源２１と、主光源２１（発光素子ＬＥＤ）を定電流で駆動する第１定電流制御部２３と、主光源２１の異常を検出する主光源異常検出部２５とを備える。
【００３１】
第１定電流制御部２３は、複数配置された発光素子直列部２２に個別に接続されてそれぞれの発光素子直列部２２を定電流で駆動する定電流回路２４（図４参照）を備える。また、主光源異常検出部２５は、各定電流回路２４の電流の状態（状態信号Ｓｓｔ（図４参照））を検出して発光素子直列部２２（第１定電流制御部２３）の異常（主光源２１の異常）を検出する。つまり、主光源異常検出部２５は、第１定電流制御部２３での電流の状態を検出して主光源２１（発光素子ＬＥＤ）の異常を検出する。なお、主光源異常検出部２５の動作については、図４で更に詳細を説明する。
【００３２】
発光素子ＬＥＤ１、・・・、発光素子ＬＥＤｎは、それぞれ少なくとも１個の発光素子ＬＥＤを備えた発光素子直列部２２として形成されている。また、主光源２１は、複数の発光素子直列部２２が並列接続されて形成されている。発光素子ＬＥＤは、例えば白色で発光することが照明向けには好ましい。
【００３３】
発光素子直列部２２（発光素子ＬＥＤ１〜発光素子ＬＥＤｎ）は、仕様に応じた照度を確保するために供給された電流および電圧に対して適宜の個数の発光素子ＬＥＤが直列接続の形態で形成されている。また、発光素子直列部２２は、必要な発光面を確保するために分散して並列接続されて配置され、並列接続の個数に応じた適宜の数の発光素子ＬＥＤが適宜のデザインで配置される。
【００３４】
第２電源部３０は、交流電源２から供給された交流電力に対してスイッチング制御を施す第２電源制御部３１（スイッチング電源回路）と、第２電源制御部３１から供給された交流に対して電圧変換（第２電源制御部３１の高い電圧を第２整流部３３の動作に適した電圧に変換する。）を施す第２変圧部３２と、第２変圧部３２から供給された交流を直流に変換して副光源部４０、主制御部５０（マイクロコンピュータ５１）、および主光源異常検出部２５へ直流電力を供給する第２整流部３３とを備える。
【００３５】
第２電源部３０は、更に、第２整流部３３の出力から得た電圧信号Ｓｖを処理する電圧信号処理部３４と、電圧信号処理部３４からの信号（電圧信号Ｓｖ）に基づいて第２電源制御部３１のスイッチングを制御するホトカプラー３５（ＰＣ２）とを備える。ホトカプラー３５は、電圧信号処理部３４からの信号（電圧信号Ｓｖ）を第２電源制御部３１に伝達するとき光信号に変換して送信することから、電圧信号処理部３４と第２電源制御部３１との間の絶縁性を確保して信号伝達の信頼性を確保することができる。
【００３６】
電圧信号処理部３４は、第２整流部３３の出力（電圧）から得た電圧信号Ｓｖに基づいて第２電源制御部３１を制御することから、第２整流部３３の出力を所定の電圧値に制御して副光源部４０の駆動を高精度に実行する。つまり、電圧信号処理部３４は、電圧信号Ｓｖに基づいて第２電源制御部３１から第２変圧部３２へ供給される電圧が副光源４１（副発光素子ＳＬＥＤ）を精度良く駆動できる規定電圧となるように、ホトカプラー３５を介して第２電源制御部３１から出力される電圧を制御する。
【００３７】
第２電源部３０は、常にオン状態（待機電源）とされ、主制御部５０の電源を構成することから、主制御部５０（マイクロコンピュータ５１）は、常時待機状態とされ、リモコン端末器５２からの指示であるリモコン信号Ｓｒｃを何時でも受信することができる。
【００３８】
副光源部４０は、主光源２１とは全く別に配置された副光源４１（副発光素子ＳＬＥＤ）と、副光源４１（副発光素子ＳＬＥＤ）を定電流で駆動する第２定電流制御部４３とを備える。つまり、第２定電流制御部４３は、定電流によって副発光素子ＳＬＥＤを安定して動作させることができる。なお、副発光素子ＳＬＥＤは、発光素子ＬＥＤとは異なる発光波長とされて発光素子ＬＥＤとの識別が可能な状態とされていることが好ましい。
【００３９】
主制御部５０は、主制御部５０の主要部を形成するマイクロコンピュータ５１と、外部（使用者）からの指示手段（制御手段）であるリモコン端末器５２を介して指示信号としてのリモコン信号Ｓｒｃを受信する赤外線受信部５３（ＩＲＤ：Ｉｎｆｒａｒｅｄ  Ｄｅｔｅｃｔｏｒ）と、リモコン信号Ｓｒｃが主光源２１に対するオン／オフ（点灯／消灯）信号であるとき、マイクロコンピュータ５１から出力される第１電源起動信号Ｓｐｃを力率改善回路１１へ送信するホトカプラー５４（ＰＣ３）とを備える。
【００４０】
ホトカプラー５４は、マイクロコンピュータ５１からの信号（第１電源起動信号Ｓｐｃ）を力率改善回路１１に伝達するとき光信号に変換して送信することから、マイクロコンピュータ５１と力率改善回路１１との間の絶縁性を確保して信号伝達の信頼性を確保することができる。
【００４１】
マイクロコンピュータ５１は、赤外線受信部５３（リモコン端末器５２）からの信号（リモコン信号Ｓｒｃ）、主光源異常検出部２５からの主光源異常検出信号Ｓａｂ、副光源異常検出信号Ｓｓ３を受信する。なお、副光源異常検出信号Ｓｓ３は、第２定電流制御部４３の動作異常を検出したときに第２定電流制御部４３から送信される信号である。
【００４２】
また、マイクロコンピュータ５１は、予め設定（インストール）されたコンピュータプログラムに基づいて、第１電源部１０、第１定電流制御部２３、第２定電流制御部４３、ホトカプラー５４のそれぞれに対する制御を実行する。
【００４３】
マイクロコンピュータ５１は、第１電源起動信号Ｓｐｃに基づいて第１電源部１０の起動（あるいは停止）を制御する。すなわち、第１電源起動信号Ｓｐｃは、力率改善回路１１に対する制御に基づいて第１電源部１０を実質的に起動させ、あるいは第１電源部１０を実質的に停止させて、主光源部２０のオン（発光素子ＬＥＤの点灯）、オフ（発光素子ＬＥＤの消灯）を制御する。
【００４４】
マイクロコンピュータ５１は、リモコン信号Ｓｒｃに基づいて第１電源起動信号Ｓｐｃを力率改善回路１１へ送信することができ、主光源部２０の動作（主光源２１の点灯、消灯）を制御することができる。
【００４５】
マイクロコンピュータ５１は、第１定電流制御部２３に対して、主光源オン／オフ信号Ｓｆ１、ＰＷＭ制御信号Ｓｆ２を送信して発光素子直列部２２（主光源２１）の点灯動作、消灯動作を制御する。
【００４６】
マイクロコンピュータ５１は、第２定電流制御部４３に対して、副光源オン／オフ信号Ｓｓ１、ＰＷＭ制御信号Ｓｓ２を送信して副発光素子ＳＬＥＤ（副光源４１）の点灯動作、消灯動作を制御する。
【００４７】
なお、発光素子照明灯装置１は、絶縁区分ＤＬ（第１変圧部１３、ホトカプラー１６、第２変圧部３２、ホトカプラー３５、ホトカプラー５４）によって、１次側と２次側との間での絶縁を確保して発光素子照明灯装置１の安全性、信頼性を確保している。
【００４８】
図２は、図１に示した発光素子照明灯装置１が備える主制御部５０での機能ブロックの概略を示す概略機能ブロック図である。
【００４９】
主制御部５０における制御は、主にマイクロコンピュータ５１によって実行される。マイクロコンピュータ５１は、ＣＰＵ（中央処理装置）を備え、予めインストールされたプログラムに基づいて発光素子照明灯装置１における各種の制御を実行する。
【００５０】
主制御部５０（マイクロコンピュータ５１）は、主光源２１（発光素子ＬＥＤ）のオン／オフを制御する主光源オン／オフ制御部６０と、主光源２１の光量を調整するために主光源２１に対するＰＷＭ（パルス幅変調：光量調整）を施す主光源ＰＷＭ制御部６１と、副光源４１（副発光素子ＳＬＥＤ）のオン／オフを制御する副光源オン／オフ制御部６２と、副光源４１の光量を調整するために副光源４１に対するＰＷＭ（パルス幅変調：光量調整）を施す副光源ＰＷＭ制御部６３とを備える。
【００５１】
主光源オン／オフ制御部６０は、主光源オン／オフ信号Ｓｆ１を第１定電流制御部２３へ出力し、主光源ＰＷＭ制御部６１は、ＰＷＭ制御信号Ｓｆ２を第１定電流制御部２３へ出力する。主光源オン／オフ信号Ｓｆ１およびＰＷＭ制御信号Ｓｆ２は、適宜合成されて定電流回路２４（図４参照）へ入力される。
【００５２】
副光源オン／オフ制御部６２は、副光源オン／オフ信号Ｓｓ１を第２定電流制御部４３へ出力し、ＰＷＭ制御信号Ｓｓ２を第２定電流制御部４３へ出力する。副光源オン／オフ信号Ｓｓ１およびＰＷＭ制御信号Ｓｓ２は、適宜合成されて副光源４１を駆動する定電流回路（不図示。基本的な構成は、定電流回路２４と同様であるので説明を省略する。）へ入力される。
【００５３】
また、主制御部５０（マイクロコンピュータ５１）は、主光源異常検出部２５からの信号である主光源異常検出信号Ｓａｂを受信する主光源異常検出信号受信部６４と、第２定電流制御部４３からの信号である副光源異常検出信号Ｓｓ３を受信する副光源異常検出信号受信部６５とを備える。
【００５４】
主光源異常検出信号Ｓａｂは、発光素子直列部２２（発光素子ＬＥＤ１〜発光素子ＬＥＤｎ）の異常（発光素子ＬＥＤの開放状態、短絡状態）を検出した主光源異常検出部２５から送信される。
【００５５】
副光源異常検出信号Ｓｓ３は、副光源４１（副発光素子ＳＬＥＤ）を駆動する第２定電流制御部４３（第２定電流制御部４３が有する駆動回路）に異常があるとき、第２定電流制御部４３から送信される。マイクロコンピュータ５１で副光源異常検出信号Ｓｓ３が受信されると、マイクロコンピュータ５１から第２定電流制御部４３に副光源オン／オフ信号Ｓｓ１（ここでは、副光源４１をオフするオフ信号）が送信され、副光源部４０がオフ（消灯）状態となる。これによって、副光源部４０の異常に対する信頼性を確保することができる。
【００５６】
また、主制御部５０は、第１電源制御信号発生部６６と、タイマー部６７と、ＩＲＤ信号検出部６８と、第１電源起動信号発生部６９とを備える。
【００５７】
第１電源制御信号発生部６６は、第１定電流制御部２３からの定電流信号Ｓｃｃを受けて、第１定電流制御部２３が発光素子直列部２２に供給する電流が定電流となるようにホトカプラー１６を介して第１電源制御部１２を制御する。つまり、第１電源制御信号発生部６６は、適宜のスイッチング制御によって出力を最適化する構成とされ、発光素子直列部２２は、定電流で駆動される。
【００５８】
タイマー部６７は、主制御部５０による制御で必要な時間（周期）を計時するために適用される。ＩＲＤ信号検出部６８（リモコン信号検出部）は、赤外線受信部５３（ＩＲＤ）を介して入力されたリモコン端末器５２からのリモコン信号Ｓｒｃを検出し、指示の内容に応じた処理が主制御部５０（マイクロコンピュータ５１）によって実行される。
【００５９】
第１電源起動信号発生部６９は、リモコン信号Ｓｒｃが主光源２１に対するオン／オフ（点灯／消灯）の指示信号であるとき、第１電源起動信号Ｓｐｃを力率改善回路１１に送信して第１電源部１０を実質的に起動させる。つまり、第１電源起動信号発生部６９は、リモコン信号Ｓｒｃ（オン／オフ信号）を受信したとき、第１電源部１０を機能させて主光源部２０のオン／オフ（点灯／消灯）を実行する。
【００６０】
図３Ａは、図１に示した発光素子照明灯装置１で実行される制御フローの内、主光源に対するオン／オフ制御の概略フローを示すフローチャートである。
【００６１】
図３Ｂは、図１に示した発光素子照明灯装置１で実行される制御フローの内、主光源の異常を検出したときの概要フローを示すフローチャートである。
【００６２】
ステップＳ２〜ステップＳ１４（図３Ａ）、ステップＳ２０〜ステップＳ３４（図３Ｂ）のフローに基づいて、発光素子照明灯装置１での主要な処理フローについて説明する。なお、ステップＳ２からステップＳ３４までの処理フローは、予めマイクロコンピュータ５１にコンピュータプログラムとしてインストールされており、図２で示した機能実現手段としてのマイクロコンピュータ５１（主光源オン／オフ制御部６０、主光源ＰＷＭ制御部６１、第１電源起動信号発生部６９など）その他によって実行される。
【００６３】
ステップＳ２：
リモコン端末器５２からオン信号を受信したか否かをＩＲＤ信号検出部６８（マイクロコンピュータ５１）によって判定する。なお、本ステップでのオン信号は、リモコン信号Ｓｒｃが主光源２１の点灯を指示する信号である。オン信号を受信していない場合（ステップＳ２：ＮＯ）は、元に戻り次の判定機会を待つ。オン信号を受信した場合（ステップＳ２：ＹＥＳ）は、ステップＳ４へ移行する。
【００６４】
ステップＳ４：
外部からのオン信号を受信した主制御部５０（マイクロコンピュータ５１）は、主制御部５０（マイクロコンピュータ５１。第１電源起動信号発生部６９）から第１電源部１０へオン信号（第１電源起動信号Ｓｐｃ）を送信する。つまり、オン信号（ステップＳ２）を受信したマイクロコンピュータ５１は、第１電源起動信号発生部６９に第１電源起動信号Ｓｐｃを生成させ、第１電源起動信号発生部６９は、ホトカプラー５４を介して力率改善回路１１へ第１電源起動信号Ｓｐｃを送信する。オン信号（第１電源起動信号Ｓｐｃ）によって、力率改善回路１１が動作（起動）し、第１電源部１０（力率改善回路１１）が実質的に起動する。第１電源起動信号Ｓｐｃが送信された後、ステップＳ６へ移行する。
【００６５】
ステップＳ６：
第１電源起動信号Ｓｐｃによって第１電源部１０（力率改善回路１１）が起動（動作）することから、第１電源制御部１２、第１変圧部１３、第１整流部１４を介して主光源部２０に電力が供給される。また、第１電源起動信号Ｓｐｃの送信に併せて、主制御部５０（マイクロコンピュータ５１）から主光源部２０（主光源２１）へ制御信号（主光源オン／オフ信号Ｓｆ１：ここでは、主光源２１をオンするオン信号）が送信される。つまり、第１電源部１０から主光源部２０への電力供給が開始され、併せてマイクロコンピュータ５１から主光源２１に対するオン信号（点灯信号）が送信され主光源２１が点灯を開始する。
【００６６】
主光源オン／オフ信号Ｓｆ１によって主光源２１が点灯するとき、主制御部５０（マイクロコンピュータ５１）から主光源部２０（主光源２１）へ制御信号（ＰＷＭ制御信号Ｓｆ２）が併せて送信される。つまり、主光源２１（発光素子ＬＥＤ）が点灯されるとき、発光素子ＬＥＤに対する光量調整（点灯調整）が適宜なされる。
【００６７】
なお、ＰＷＭ制御信号Ｓｆ２は、光量調整の指示を受けて、異なるタイミングで別途送信されることがある。
【００６８】
ステップＳ２ないしステップＳ６のフローで通常の点灯処理がなされる。なお、これらのステップにおいては、点灯前の状態で既に異常が内在している場合も同様に点灯される。点灯後、ステップＳ８へ移行する。
【００６９】
ステップＳ８：
本ステップは、動作中に主光源２１に異常が発生した場合、あるいは点灯前から異常が存在していた（以前の使用状態で発生した異常がある）場合において、異常を検出するステップである。
【００７０】
つまり、主光源異常検出部２５が主光源２１の異常を検出したか否かが判定される。このときの判定は、主光源異常検出部２５からマイクロコンピュータ５１に対して主光源異常検出信号Ｓａｂを送信することによってなされる。なお、主光源異常検出部２５の動作については、図４で別途説明する。
【００７１】
異常を検出しない場合（ステップＳ８：ＮＯ）は、ステップＳ１０へ移行する。異常を検出した場合（ステップＳ８：ＹＥＳ）は、ステップＳ２０（図３Ｂ）へ移行する。
【００７２】
ステップＳ１０：
点灯状態であるから、点灯状態を維持するか、消灯状態とする指示を待つ状態である。なお、光量調整などの処理フローが適宜実行されるが本発明とは直接の関係は無いことから光量調整についての説明は省略する。
【００７３】
リモコン端末器５２からオフ信号（リモコン信号Ｓｒｃが主光源２１の消灯を指示する信号）を受信したか否かがマイクロコンピュータ５１において判定される。
【００７４】
オフ信号を受信しない場合（ステップＳ１０：ＮＯ）は、ステップＳ８へ戻る。オフ信号を受信した場合（ステップＳ１０：ＹＥＳ）は、ステップＳ１２へ移行する。
【００７５】
ステップＳ１２：
通常の点灯状態から消灯状態への移行指示であることから、主制御部５０（マイクロコンピュータ５１）から第１電源部１０（力率改善回路１１）へオフ信号を送信する。本ステップでのオフ信号は、第１電源起動信号Ｓｐｃを反転させた信号（オフ信号）を第１電源起動信号発生部６９から力率改善回路１１へ送信することによって実行される。主制御部５０から第１電源部１０へオフ信号を送信した後、ステップＳ１４へ移行する。
【００７６】
なお、併せて主光源オン／オフ信号Ｓｆ１のオフ信号が第１定電流制御部２３へ送信される。
【００７７】
ステップＳ１４：
第１電源部１０から主光源部２０に対する電力の供給が停止され、また、主光源オン／オフ信号Ｓｆ１によって発光素子直列部２２に対する定電流駆動が停止されるので主光源部２０（主光源２１、発光素子ＬＥＤ）はオフ（消灯状態）となる。
【００７８】
ステップＳ２０：
主光源異常検出部２５は、主光源２１の異常を検出したことから、主制御部５０（マイクロコンピュータ５１）へ主光源異常検出信号Ｓａｂを送信する。
【００７９】
ステップＳ２２：
主光源異常検出信号Ｓａｂを受信したマイクロコンピュータ５１（主制御部５０）は、それまでの履歴に基づいてステップＳ６に基づく起動（主光源２１の点灯）が異常検出後の再起動か否かを判定する。ここで、異常検出後の再起動とは、前回の点灯時に異常が検出された後、修復処理（修理）がなされない状態のままで再び点灯（起動）された状態である。
【００８０】
異常検出後の再起動である場合（ステップＳ２２：ＹＥＳ）は、ステップＳ２４へ移行する。異常検出後の再起動ではない場合（ステップＳ２２：ＮＯ）は、ステップＳ２６へ移行する。なお、異常検出後の再起動ではない場合とは、ステップＳ８での異常検出が初めての異常検出（あるいは、前回の修理後、初めての異常検出）である場合である。
【００８１】
ステップＳ２４：
マイクロコンピュータ５１は、主光源異常検出信号Ｓａｂを受信した後（更に異常検出後の再起動と判定した後）、一定時間が経過したか否かを判定する。一定時間は、再起動による動作が主光源および周辺回路に影響を与えることのない適切な時間として予め設定されてあり、例えば、０．３秒から数秒程度の時間とされている。なお、一定時間は、タイマー部６７を適用して適宜計時される。
【００８２】
一定時間が経過した場合（ステップＳ２４：ＹＥＳ）は、ステップＳ２６へ移行する。一定時間が経過していない場合（ステップＳ２４：ＮＯ）は、元に戻り、一定時間になるまで計時を継続する。
【００８３】
本ステップでは、主制御部５０（マイクロコンピュータ５１）は、異常状態を維持したままで、一定時間、主光源２１を点灯する。
【００８４】
ステップＳ２６：
マイクロコンピュータ５１は、第１電源部１０（力率改善回路１１）へオフ信号（第１電源起動信号Ｓｐｃによる第１電源部１０をオフする信号）を送信する。つまり、マイクロコンピュータ５１は、主光源異常検出信号Ｓａｂを受信したとき（ステップＳ２２）からタイマー部６７を動作させ、予め設定された一定時間がカウントされた後、主制御部５０から第１電源部１０へのオフ信号が送信される。
【００８５】
また、第１電源部１０に対するオフ信号の送信と併せて主制御部５０（マイクロコンピュータ５１）から、副光源部４０（副光源４１、副発光素子ＳＬＥＤ）へ制御信号（副光源オン／オフ信号Ｓｓ１：ここでは、副光源４１をオンするオン信号）が送信される。
【００８６】
つまり、副光源部４０に対する駆動回路である第２定電流制御部４３へマイクロコンピュータ５１から副光源４１に対するオン信号（点灯信号）が送信され副光源４１が点灯を開始する。
【００８７】
副光源オン／オフ信号Ｓｓ１によって副光源４１が点灯するとき、主制御部５０（マイクロコンピュータ５１）から副光源部４０（副光源４１）へ制御信号（ＰＷＭ制御信号Ｓｓ２）が併せて送信される。つまり、副光源４１（副発光素子ＳＬＥＤ）が点灯されるとき、副発光素子ＳＬＥＤに対する光量調整（点灯調整）が施される。
【００８８】
すなわち、主制御部５０は、主光源異常検出部２５からの信号によって異常を検出したとき、従前の異常状態が維持されている場合は、すぐに点灯状態を遮断するのではなく、一定時間が経過した後（ステップＳ２４）に、主光源２１の消灯および副光源４１の点灯を実行する構成とされている。
【００８９】
なお、第１電源起動信号Ｓｐｃのオフ信号に併せて、主光源オン／オフ信号Ｓｆ１のオフ信号がマイクロコンピュータ５１から第１定電流制御部２３へ送信され、第１定電流制御部２３は停止状態とされる。したがって、第１電源部１０および第１定電流制御部２３によって確実に主光源２１（主光源部２０）をオフ状態（消灯状態）とすることができる。また、不要な回路動作を防止して消費電力を抑制している。
【００９０】
ステップＳ２８：
主制御部５０による第１電源部１０（第１定電流制御部２３）のオフ制御、副光源部４０（第２定電流制御部４３）のオン制御によって、主光源部２０（主光源２１：発光素子ＬＥＤ）はオフ（消灯）状態となり、副光源部４０（副光源４１：副発光素子ＳＬＥＤ）はオン（点灯）状態となる。
【００９１】
つまり、異常が内在するとき、再点灯に対して、予め設定された一定時間点灯した後、主光源部２０が消灯され、副光源部４０が点灯されて異常を報知することができる。また、一定時間の点灯によって、主光源部２０での点灯状況を把握することが可能となり、保守作業者が異常個所を的確に特定して迅速に保守作業を行うことができ、異常に対する認識度を高めて利便性を向上させることができる。
【００９２】
通常は、本ステップでの点灯状態の変更（主光源２１の点灯の停止、副光源４１の点灯の開始。つまり、点灯状態の移行。）が使用者に認識され、使用者を含む保守作業者によって異常に対する補修などの対策を講じることができる。
【００９３】
ステップＳ３０：
リモコン端末器５２から副光源部４０に対するオフ信号（リモコン信号Ｓｒｃが副光源４０に対する消灯を指示する信号）を受信したか否かがマイクロコンピュータ５１において判定される。オフ信号を受信した場合（ステップＳ３０：ＹＥＳ）は、ステップＳ３２へ移行する。また、オフ信号を受信していない場合（ステップＳ３０：ＮＯ）は、ステップＳ３０へ戻る。
【００９４】
ステップＳ３２：
主制御部５０（マイクロコンピュータ５１）から副光源部４０へオフ信号を送信する。ここでのオフ信号は、マイクロコンピュータ５１から第２定電流制御部４３へ送信される副光源オン／オフ信号Ｓｓ１がオフを指示する信号であり、第２定電流制御部４３がオフ状態とされて副光源４１（副発光素子ＳＬＥＤ）への電流の供給が停止され、ＰＷＭ制御信号Ｓｓ２が停止状態とされる。
【００９５】
ステップＳ３４：
ステップＳ３２での指示に伴って、副光源部４０はオフ状態となり、副光源４１（副発光素子ＳＬＥＤ）は消灯する。
【００９６】
図４は、図１に示した発光素子照明灯装置１が備える第１定電流制御部２３および主光源異常検出部２５の回路の概要を示す回路図である。
【００９７】
主光源部２０は、第１整流部１４からの直流電力を受けて発光する発光素子ＬＥＤを有する主光源２１と、主光源２１に対する定電流駆動を実行する第１定電流制御部２３（定電流回路２４）と、第１定電流制御部２３（定電流回路２４）の状態信号Ｓｓｔに基づいて発光素子ＬＥＤ（発光素子直列部２２）の異常を検出する主光源異常検出部２５とを備える。
【００９８】
主光源２１は、複数の発光素子直列部２２を備え、発光素子直列部２２は、第１定電流制御部２３によって定電流駆動されている。なお、第１定電流制御部２３は、発光素子直列部２２に対応して配置（接続）された定電流回路２４を備える。つまり、発光素子直列部２２は、定電流回路２４によって個別に定電流駆動されている。なお、定電流回路２４は、電流経路のオンオフを制御するスイッチング素子としてのＭＯＳ電界効果トランジスタと、ＭＯＳ電界効果トランジスタに直列に接続された抵抗とを備える。
【００９９】
ＭＯＳ電界効果トランジスタのゲート電極に接続されたオペアンプＯＰ（演算増幅器）の非反転入力端子（＋）にＰＷＭ制御信号Ｓｆ２を積分した直流電圧信号が入力されると、直流電圧信号と抵抗Ｒとの比で決定される電流によって発光素子ＬＥＤの光量調整が実行される。
【０１００】
本実施の形態では、発光素子直列部２２に個別に接続された定電流回路２４と発光素子ＬＥＤ（発光素子直列部２２）との接続点での電気的な状態を示す状態信号Ｓｓｔを主光源異常検出部２５によって検出することで、発光素子直列部２２の異常を検出することができる。異常状態としては、発光素子直列部２２（発光素子ＬＥＤ）の開放状態と短絡状態とがある。
【０１０１】
主光源異常検出部２５は、発光素子ＬＥＤの開放状態を第１基準信号Ｖｒｅｆ１と比較して検出する第１コンパレータ２６と、発光素子ＬＥＤの短絡状態を第２基準信号Ｖｒｅｆ２と比較して検出する第２コンパレータ２７とを備える。発光素子直列部２２のそれぞれに対応して出力される状態信号Ｓｓｔは、第１コンパレータ２６、第２コンパレータ２７へそれぞれ並列に入力（オア入力）され、基準信号Ｖｒｅｆ（以下では、第１基準信号Ｖｒｅｆ１と第２基準信号Ｖｒｅｆ２とを特に区別する必要が無い場合は、単に基準信号Ｖｒｅｆとすることがある。）と比較される。基準信号Ｖｒｅｆとの比較によって異常が検出されたときは、第１コンパレータ２６、第２コンパレータ２７それぞれから異常信号が出力され、主光源異常検出信号Ｓａｂが主光源異常検出部２５から出力される。
【０１０２】
並列に接続された複数の発光素子直列部２２それぞれの状態を示す状態信号Ｓｓｔのいずれか１つが、第１基準信号Ｖｒｅｆ１より低い場合は、発光素子ＬＥＤのいずれか１つは開放された状態であり、状態信号Ｓｓｔのいずれか１つが、第２基準信号Ｖｒｅｆ２より高い場合は、発光素子ＬＥＤのいずれか１つは短絡された状態である。また、開放状態の発光素子直列部２２では、少なくとも１個の発光素子ＬＥＤが開放状態となっており、また、短絡状態の発光素子直列部２２では、少なくとも１個の発光素子ＬＥＤが短絡状態となっている。
【０１０３】
本実施の形態では、第１コンパレータ２６の出力と第２コンパレータ２７の出力とは論理和合成として出力されている。したがって、第１コンパレータ２６および第２コンパレータ２７の少なくともいずれか一方で異常が検出されたときは、主光源２１での異常があるとして主光源異常検出信号Ｓａｂが出力される。
【０１０４】
なお、第１基準信号Ｖｒｅｆ１、第２基準信号Ｖｒｅｆ２は、発光素子ＬＥＤが有する順方向電圧（所定の電流を流したときの順方向電圧）を参酌して適宜設定することができる。
【０１０５】
したがって、第１コンパレータ２６、第２コンパレータ２７は、主光源２１に配置された発光素子ＬＥＤのいずれかでの開放状態、短絡状態のいずれかを検出したときは、主光源異常検出信号Ｓａｂを発生し、主制御部５０（マイクロコンピュータ５１）へ送信する。主光源異常検出部２５は、発光素子直列部２２の開放状態あるいは短絡状態のいずれに対しても異常検出をすることが可能となり、安全性、信頼性を向上させる。
【０１０６】
なお、主光源異常検出信号Ｓａｂの発生は、例えば、信号をＨレベルとすることによってなされる。また、基準信号Ｖｒｅｆのレベルを適宜設定することによって、開放異常、短絡異常に限らず、発光素子ＬＥＤの順方向電圧異常（Ｖｆ異常）についても検出することが可能である。
【０１０７】
上述したとおり、本実施の形態に係る発光素子照明灯装置１は、発光素子ＬＥＤを有する主光源２１と、発光素子ＬＥＤに定電流を供給する第１定電流制御部２３と、第１定電流制御部２３の状態に基づいて主光源２１の異常を検出する主光源異常検出部２５と、主光源異常検出部２５が主光源２１の異常を検出したときに出力する主光源異常検出信号Ｓａｂに基づいて主光源２１を消灯し、その後、主光源２１を再起動する電力が供給されたとき、主光源２１を一定時間点灯する制御を行う主制御部５０とを備える。
【０１０８】
したがって、発光素子照明灯装置１は、主光源２１に異常が生じたとき、主光源２１を消灯させることによって主光源２１および周辺回路への影響を防止して安全性、信頼性を向上させ、主光源２１に対する再起動の電力が供給されたとき、一定時間に限って主光源２１を点灯することから、使用者が異常状態を容易に認識でき、また、保守作業者が異常個所を的確に特定して迅速な保守作業を実行することができるので、高い利便性を実現できる。
【０１０９】
また、発光素子照明灯装置１では、主光源２１とは別の副発光素子ＳＬＥＤを有する副光源４１を備え、副光源４１は、主光源２１が主光源異常検出信号Ｓａｂに基づいて消灯されたとき点灯される構成とされていることを特徴とする。
【０１１０】
したがって、発光素子照明灯装置１は、主光源２１の消灯に併せて副光源４１が点灯されることから、異常状態を表示することが可能となり、また、主光源２１の消灯に伴って周囲が暗い状態となった場合でも副光源４１の点灯によって必要な明るさを確保して安全性を確保することができる。
【０１１１】
また、発光素子照明灯装置１では、主光源２１は、少なくとも１個の発光素子ＬＥＤを有して相互に並列接続された複数の発光素子直列部２２（ＬＥＤ１〜ＬＥＤｎ）を備え、第１定電流制御部２３は、複数の発光素子直列部２２のそれぞれに接続された複数の定電流回路２４を備え、主光源異常検出部２５は、複数の定電流回路２４の状態を示す状態信号Ｓｓｔを基準信号Ｖｒｅｆ（発光素子直列部２２の開放状態を検出するときの基準となる第１基準信号Ｖｒｅｆ１、発光素子直列部２２の短絡状態を検出するときの基準となる第２基準信号Ｖｒｅｆ２）と比較して発光素子直列部２２の異常を検出する構成とされている。
【０１１２】
したがって、発光素子照明灯装置１は、複数の発光素子直列部２２のそれぞれに接続された複数の定電流回路２４の状態信号Ｓｓｔを基準信号Ｖｒｅｆ（第１基準信号Ｖｒｅｆ１および第２基準信号Ｖｒｅｆ２）と比較して発光素子直列部２２の異常を検出する主光源異常検出部２５を備えることから、いずれかの発光素子直列部２２での異常を検出することができるので主光源２１の異常を高精度に検出することが可能となる。
【０１１３】
また、発光素子照明灯装置１では、主光源異常検出部２５は、発光素子直列部２２の開放状態を検出する第１コンパレータ２６と、発光素子直列部２２の短絡状態を検出する第２コンパレータ２７とを備える。
【０１１４】
したがって、発光素子照明灯装置１は、発光素子直列部２２の開放状態を検出する第１コンパレータ２６と発光素子直列部２２の短絡状態を検出する第２コンパレータ２７とを備えることから、主光源２１の異常として発光素子直列部２２の開放状態および短絡状態を併せて検出することができるので、安全性および信頼性を更に向上させることができる。
【０１１５】
また、発光素子照明灯装置１では、主光源２１は、交流電源２に接続された第１電源部１０が有する第１整流部１４から電力が供給され、副光源４１は、第１電源部１０とは別に設けられて交流電源２に接続された第２電源部３０が有する第２整流部３３から電力が供給され、主制御部５０は、第２整流部３３から電力が供給される構成とされていることが好ましい。
【０１１６】
したがって、発光素子照明灯装置１は、主光源２１の異常に対して主光源２１の消灯および副光源４１の点灯を制御する主制御部５０の電源と副光源４１を点灯する副光源４１の電源とを、主光源２１の電源である第１電源部１０（第１整流部１４）とは異なる第２電源部３０（第２整流部３３）としていることから、主制御部５０の動作の信頼性、安全性、副光源４１の点灯の信頼性を向上させることができる。
【０１１７】
また、発光素子照明灯装置１では、発光素子ＬＥＤおよび副発光素子ＳＬＥＤは、発光ダイオードであることが好ましい。したがって、発光素子照明灯装置１は、発光素子ＬＥＤおよび副発光素子ＳＬＥＤを発光ダイオードで形成することから、長寿命で信頼性が高く、低消費電力が可能な照明灯装置となる。
【０１１８】
また、発光素子照明灯装置１では、発光素子ＬＥＤの発光波長と、副発光素子ＳＬＥＤの発光波長とは、互いに異なることが好ましい。したがって、発光素子照明灯装置１は、主光源２１の発光色と副光源４１の発光色とを異ならせることから、主光源２１の異常を容易にかつ正確に表示することができる。
【０１１９】
なお、本実施の形態では、主光源２１のオン／オフがリモコン端末器５２によってなされるものとして説明したが、壁スイッチによるＡＣ電源２のオン／オフにより電力の供給／遮断が行われて主光源２１がオン／オフする場合についても本発明の適用範囲内であることは言うまでもない。
【符号の説明】
【０１２０】
１  発光素子照明灯装置
２  交流電源（ＡＣ電源）
１０  第１電源部
１１  力率改善回路（ＰＦＣ）
１２  第１電源制御部
１３  第１変圧部
１４  第１整流部
１６  ホトカプラー（ＰＣ１）
２０  主光源部
２１  主光源
２２  発光素子直列部
２３  第１定電流制御部
２４  定電流回路
２５  主光源異常検出部
２６  第１コンパレータ
２７  第２コンパレータ
３０  第２電源部
３１  第２電源制御部
３２  第２変圧部
３３  第２整流部
３４  電圧信号処理部
３５  ホトカプラー（ＰＣ２）
４０  副光源部
４１  副光源
４３  第２定電流制御部
５０  主制御部
５１  マイクロコンピュータ
５２  リモコン端末器
５３  赤外線受信部（ＩＲＤ）
５４  ホトカプラー（ＰＣ３）
６０  主光源オン／オフ制御部
６１  主光源ＰＷＭ制御部
６２  副光源オン／オフ制御部
６３  副光源ＰＷＭ制御部
６４  主光源異常検出信号受信部
６５  副光源異常検出信号受信部
６６  第１電源制御信号発生部
６７  タイマー部
６８  ＩＲＤ信号検出部（リモコン信号検出部）
６９  第１電源起動信号発生部
ＤＬ  絶縁区分線
ＬＥＤ、ＬＥＤ１〜ＬＥＤｎ  発光素子
ＯＰ  オペアンプ
Ｓａｂ  主光源異常検出信号
Ｓｃｃ  定電流信号
Ｓｆ１  主光源オン／オフ信号
Ｓｆ２  ＰＷＭ制御信号
ＳＬＥＤ  副発光素子
Ｓｐｃ  第１電源起動信号
Ｓｒｃ  リモコン信号
Ｓｓ１  副光源オン／オフ信号
Ｓｓ２  ＰＷＭ制御信号
Ｓｓ３  副光源異常検出信号
Ｓｓｔ  状態信号
Ｓｖ  電圧信号
Ｖｒｅｆ  基準信号
Ｖｒｅｆ１  第１基準信号
Ｖｒｅｆ２  第２基準信号
【図１】
0005734136.tif 000002
【図２】
0005734136.tif 000003
【図３Ａ】
0005734136.tif 000004
【図３Ｂ】
0005734136.tif 000005
【図４】
0005734136.tif 000006